(57)【特許請求の範囲】
【請求項１】
靴内に配置される中敷きであって、前記中敷きは、
位置情報を取得する位置情報取得部と、
利用者の個人情報を備えた記憶部と、
前記位置情報及び個人情報を外部に送信する送信部と、
振動発電部と、
前記振動発電部で発電した電力を蓄電する蓄電部と、
前記電力を利用して、前記位置情報取得部、前記記憶部及び前記送信部を制御する制御部と、
ＩＣチップと、を有し、
前記ＩＣチップは、前記記憶部と前記制御部とを備え、
前記ＩＣチップは前記中敷きから取り外して、他の中敷きに差し替え可能である
ことを特徴とする中敷き。
【請求項２】
クッション材を有し、
前記蓄電部は、薄板形状であり、前記クッション材の表面全面に設けられている
請求項１に記載の中敷き。
【請求項３】
前記個人情報としてマイナンバーを有する
請求項１または２に記載の中敷き。
【発明の詳細な説明】
【技術分野】
【０００１】
本発明は、靴内に配置される中敷き（インソール）に関し、詳しくは位置情報等を取得できる多機能の中敷きに関する。
【背景技術】
【０００２】
厚生労働省研究班が６５歳以上の高齢者を対象に実施した調査結果によると、全国で認知症とみられる人数は約４３９万人と推定され、さらに予備軍である軽度認知障害に該当する人は約３８０万人とされている（２０１０年時点）。このような中、認知症の高齢者による徘徊が深刻化している。
【０００３】
特許文献１には、徘徊等により居場所がわからなくなった老人等の居場所を特定する生体位置監視装置及びシステムが提案されている。特許文献１では、老人に装置を装着し予め決められた人以外装置を外せないよう鍵を使った装着固定手段を設けておき、老人が自ら装置を外せないようにしている。
【０００４】
しかしながら、このような装置では、装着固定手段を取付けるために、老人以外の人手が必要であり、簡易に使用することができない。また、老人の徘徊に備えるためには身体に常に装置を装着する必要がある。このようなことから簡便な手法で、居場所がわからなくなった人の居場所を特定できる装置の開発が待望されている。
【先行技術文献】
【特許文献】
【０００５】
【特許文献１】特開２０１２−２３０６１０号公報
【発明の概要】
【発明が解決しようとする課題】
【０００６】
本発明は、上記の課題に鑑み、利用者の居場所を簡便に特定することができる中敷きを提供することにある。
【課題を解決するための手段】
【０００７】
本発明の一態様に係る中敷きは、位置情報を取得する位置情報取得部と、利用者の個人情報を備えた記憶部と、前記位置情報及び個人情報を外部に送信する送信部と、振動発電部と、前記振動発電部で発電した電力を蓄電する蓄電部と、前記電力を利用して、前記位置情報取得部、前記記憶部及び前記送信部を制御する制御部とを有する。
【発明の効果】
【０００８】
上記構成によれば、ＧＰＳ等を利用して位置情報を取得できるので、利用者の居場所を簡便に特定することができる。
【図面の簡単な説明】
【０００９】
【図１】実施形態の中敷きの斜視図である。
【図２】実施形態に係るＩＣチップの構成を示すブロック図である。
【発明を実施するための形態】
【００１０】
＜概要＞
本発明の一態様に係る中敷きは、位置情報を取得する位置情報取得部と、利用者の個人情報を備えた記憶部と、前記位置情報及び個人情報を外部に送信する送信部と、振動発電部と、前記振動発電部で発電した電力を蓄電する蓄電部と、前記電力を利用して、前記位置情報取得部、前記記憶部及び前記送信部を制御する制御部とを有する。
【００１１】
このような構成によれば、ＧＰＳ等を利用して位置情報を取得できるので、利用者の居場所を簡便に特定することができるとともに、中敷きの利用者の個人情報も取得できる。
【００１２】
他の一態様に係る中敷きにおいて、前記個人情報としてマイナンバーを有する。このような構成によれば、社会保障、税、災害対策の分野での情報を所得することもできる。
【００１３】
＜実施形態＞
以下に本発明の一態様である中敷きについて、図１及び図２を参照しながら詳細に説明する。
【００１４】
１．中敷き
図１において、中敷き１は左足側を示し、上側は中敷きの表面、下側は中敷きの裏面を示す。
実施形態の中敷き１は、図１に示すように、ＩＣチップ２と振動発電器３と蓄電池４とクッション材５とを有する。
【００１５】
２．ＩＣチップ
図１では、ＩＣ(Integrated Circuits）チップ２はケース２０内に挿入された状態を示す。ＩＣチップ２は、図２に示すように、記憶部２１と位置情報取得部２２と送信部２３と制御部２４とを備えている。
【００１６】
２−１．記憶部
記憶部２１は書き換え可能な不揮発性メモリ（例えば、ＲＡＭ）である。記憶部２１は利用者の個人情報を備えている。個人情報としては、特に限定はないが、例えば、氏名、生年月日、住所、電話番号、血液型、身長、体重のほか、病歴（病名、病院名）や薬歴等の医薬情報等があげられる。また、個人情報としてマイナンバーを持たせることにより、社会保障、税、災害対策の分野での情報を所得することもできる。
【００１７】
２−２．位置情報取得部
位置情報取得部２２は、ＧＰＳアンテナ２６や測位部２５から構成されている。位置情報取得部２２は、ＧＰＳ衛星からＧＰＳ電波（ＧＰＳ信号）をＧＰＳアンテナ２６で受けるとともに、測位部２５において自己の現在位置データ（位置情報）を算出するようになっている。ＧＰＳ電波の受信及び現在位置データの算出は、一定の間隔（例えば、３０分間隔）で繰り返し行うようになっている。なお、電池の消耗を防ぐため省エネモードの設定も可能である。
【００１８】
２−３．送信部
送信部２３は、測位部２５による位置情報と、記憶部２１内の個人情報を外部（サーバー等）に送信するようになっている。送信は、例えばパケットを利用したＰＨＳ回線により行うことができる。
【００１９】
２−４．制御部
制御部２４は、蓄電池４に貯めた電力を利用して、記憶部２１、位置情報取得部２２及び送信部２３を制御する。具体的には、制御部２４は内部にカウンタを備える。カウンタが所定値（例えば、３０分に相当する）になると、測位部２５が位置情報を、記憶部２１が個人情報を取得して、これら情報を送信部２３が送信するよう制御する。
【００２０】
３．振動発電器
実施形態の振動発電器３は、図１に示すように、薄板状の蓄電池４とクッション材５との界面の一部に設けられている。振動発電器３は、足の指の付け根部に対応する前部３ａと、かかと部に対応する後部３ｂに、それぞれ２枚貼り付けられている。
振動発電器３は圧電素子を敷き詰めた板状であり、歩行の振動により振動面に発生する圧力を圧電素子を用いて電力に変換する。
【００２１】
４．蓄電池
蓄電部としての蓄電池４は、振動発電器３で発電した電力を蓄電する。蓄電池４は、放電後に再び充電して反復使用できる化学電池（二次電池ともいう。）であり、例えば、鉛蓄電池、ニッケル‐カドミウムやニッケル‐水素等のアルカリ蓄電池、リチウムイオン電池等があげられる。実施形態の蓄電池４は、図１に示すように、薄板状の形状であり、クッション材５の表面全面に設けられている。なお、振動発電器３と蓄電池４との間にダイオードが接続され、蓄電池４の振動発電器３への放電を防止している。
【００２２】
ＩＣチップ２内の位置情報取得部２２、送信部２３、制御部２４等の駆動は、蓄電池４に貯めた電力が利用される。
【００２３】
５．クッション材
クッション材５の素材は、特に限定はなく、例えば、ポリウレタン、ポリエステル、ウール等があげられる。
【００２４】
＜作用＞
まず、ＩＣチップ２を挿入した本実施形態の中敷き１を靴内に配置する。利用者が靴を履いて歩くことにより振動発電器３に圧力が伝わり電力が生じ、蓄電池４に蓄えられる。この電力はＩＣチップ２の駆動に使用される。制御部２４は、蓄電池４に貯めた電力を利用して、記憶部２１、位置情報取得部２２及び送信部２３を制御する。具体的には、所定時間（例えば、３０分）経過すると、ＧＰＳアンテナ２６でＧＰＳ衛星からＧＰＳ電波（ＧＰＳ信号）を受けるとともに、測位部２５において自己の現在位置データ（位置情報）を取得する。この現在位置データ（位置情報）を個人情報と共に、送信部２３から外部（サーバー等）により送信する。これらの情報を基地局等で受け取り、インターネット等を介してサーバー等にアクセスすることにより、利用者の位置情報及び個人情報を取得することができる。なお、外部（サーバー等）からのアクセスは、暗証番号等を入力させるようにしてもよい。
【００２５】
本実施形態の中敷き１では、利用者が歩き続ける限り電力が生じるので、外部電力が不要である。また、利用者が歩かなくなった場合でも、蓄電池４に電力が貯蔵されているので、蓄電池４の電力がなくなるまで利用者の位置情報及び個人情報を取得し送信し続けることができる。
本実施形態の中敷き１によれば、老人の徘徊や行方不明者等の居場所を特定できることに加えて、利用者の個人情報も同時に取得することができる。
【００２６】
＜変形例＞
以上、実施形態に係る中敷き１を説明したが、この実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００２７】
１．中敷き
中敷き１は、左右何れか一方の靴内に配置すればよいが、左右両方の靴内に配置してもよい。左右両方の靴内に中敷き１を配置した場合でも、ＩＣチップ２は左右何れか一方の中敷きに挿入すればよいため、ＩＣチップ２を挿入していない方の中敷きで、振動発電器３による電力を蓄電池４で蓄電できる。そのため、遭難等で一方の中敷きの電力がなくなった場合でも、他方の中敷きにＩＣチップ２を差替えることにより、現在の位置情報及び個人情報を外部に送信することができる。
【００２８】
本実施形態の中敷き１は、靴内に配置されるが、靴の種類に限定はなく、例えば、革靴、スポーツ専用靴（運動靴、登山靴等）、ブーツ、長靴、上靴、スリッパ、サンダル等にも使用できる。本実施形態の中敷き１は、日本だけでなく海外でも使用することができる。
【００２９】
２．ＩＣチップ
ＩＣチップ２は中敷き１から取り外して、本実施形態の他の中敷きに差し替えることもできる。大きさや形状等のタイプの異なる中敷き１を多数用意すれば、利用者のその日の気分等に応じて、中敷き１を使い分けることもできる。
ＩＣチップ２の形状はカード型に限定されず、ラベル型、コイン型、スティック型等であってもよい。
また、クレジット機能をＩＣチップ２に持たせることにより、クレジットカードの代わりになる。また、ＪＲ，私鉄等の交通機関等で導入されている共通乗車カード・電子マネー（例えば、Suica（登録商標）等）の機能を、ＩＣチップ２に持たせることも可能である。さらに、歩数計の機能をＩＣチップ２に持たせることにより、歩数、走行距離、消費カロリー等の情報を得ることもできる。
【００３０】
２−１．位置情報取得部
実施形態ではＧＰＳアンテナ２６はＩＣチップ２の内部に設けた（いわゆるアンテナ内蔵型タイプである。）が、ＩＣチップ２の外部に設けることもできる。
また、実施形態では、位置情報取得部２２（測位部２５、ＧＰＳアンテナ２６）をＩＣチップ２内に設けたが、ＩＣチップ２の外部に設けてもよい。
なお、位置情報取得部２２は、携帯電話等の基地局を利用して位置情報を取得するようにしてもよい。
【００３１】
２−２．送信部
実施形態では、送信部２３をＩＣチップ２内に設けたが、ＩＣチップ２の外部に設けてもよい。
なお、送信部２３は、ＦＭ多重等の無線を利用して送信するようにしてもよい。
【００３２】
３．振動発電器
実施形態では振動発電器３を前部３ａと後部３ｂに２個ずつ設けたが、振動発電器３の取り付け位置や個数に限定はなく、例えば、蓄電池４とクッション材５との界面全面に薄板形状の振動発電器を設けてもよい。
【００３３】
また、実施形態では振動発電器３を蓄電池４とクッション材５との界面に設けたが、中敷き１の表面（蓄電池４の表面）もしくは中敷き１の裏面（クッション材５の裏面）に設けることも可能である。
【００３４】
４．利用者
実施形態では老人の徘徊について説明したが、利用者は老人に限定されず、健常人（例えば、登山者等）にも利用できる。また、本実施形態の中敷き１を使用する利用者が、山、海等で遭難した場合や、車、電車、船、飛行機等の乗物事故で行方不明になった場合や、家出等で音信不通となった場合等の際には、サーバー等にアクセスすることにより、いち早く利用者の位置情報や個人情報を取得することができる。
また、性犯罪者等の犯罪歴のある人に本実施形態の中敷き１を使用させることにより、位置情報を取得し犯罪の予防に利用することができる。
さらに、一人暮らしの高齢者に本実施形態の中敷き１を使用させると、一定時間位置情報の変化がない場合等に、高齢者の安否を疑い、孤独死等を予防できるようになる。
また、日本に居住している外国人に本実施形態の中敷き１を使用させることにより、個人情報としてのビザの情報を知ることもできる。
【００３５】
５．その他
なお、実施形態において中敷き側に設けた振動発電部及び蓄電部を、靴側に設け、靴と中敷きとをコネクタ等により接続してもよい。
【００３６】
また、位置情報取得部、記憶部、送信部、振動発電部、蓄電部及び制御する制御部を、中敷き側ではなく靴側に設けてもよい。
【００３７】
さらに、実施形態における中敷き１を靴と一体化させてもよい。
【産業上の利用可能性】
【００３８】
本発明は、利用者の居場所を簡便に特定することができるほか、マイナンバー等の個人情報も取得できる多機能な中敷きとして有用である。
【符号の説明】
【００３９】
１  中敷き
２  ＩＣチップ
３  振動発電器
４  蓄電池（蓄電部）
【要約】
【課題】利用者の居場所を簡便に特定することができる中敷きを提供することにある。
【解決手段】靴内に配置される中敷き１であって、中敷き１は、位置情報を取得する位置情報取得部と、利用者の個人情報を備えた記憶部と、位置情報及び個人情報を外部に送信する送信部と、振動発電器３と、振動発電器３で発電した電力を蓄電する蓄電部４と、電力を利用して、位置情報取得部、記憶部及び送信部を制御する制御部とを有する。
【選択図】図１【図１】
0005978477.tif 000002
【図２】
0005978477.tif 000003